(57)【要約】      （修正有）【課題】楽器を傷つけることなく安全に使え、簡単に着脱ができ、弓と弦とのコンタクトポイントが良く見え、良い音で好きな時に好きな所で他人の迷惑にならずに練習することができる擦弦楽器の消音器を提供する。【解決手段】楽器本体の表板の上に起立させた弦を張るための一方の面に接触可能な一方の消音部材と、駒の他方の面に接触可能な他方の消音部材と、により擦弦楽器消音器を構成する。当該一方及び他方の消音部材は、板状磁石と、当該板状磁石の少なくとも周縁を被覆し、かつ、駒の振動を吸収するための緩衝部材と、を含めて構成して、駒に取り付けたときの、当該一方の消音部材と当該他方の消音部材とが、当該一方の消音部材の板状磁石と当該他方の消音部材の板状磁石及び／又は板状強磁性体との間に働く吸着力によって駒に取り付けられるように構成する。駒に取り付けた緩衝部材が振動を吸収する結果、消音がなされる。【選択図】図７
2007178965.tif 000002
【特許請求の範囲】
【請求項１】
表板を有する楽器本体と、当該楽器本体の表板の上に起立させた弦を張るための駒と、を含めて構成してある擦弦楽器に取り付けて消音を行うための擦弦楽器消音器（以下、単に「消音器１」という）であって、駒の一方の面に接触可能な一方の消音部材と、駒の他方の面に接触可能な他方の消音部材と、を含めて構成してあり、当該一方の消音部材は、板状磁石と、当該板状磁石の少なくとも周縁を被覆し、かつ、駒の振動を吸収するための緩衝部材と、を含めて構成してあり、当該他方の消音部材は、板状磁石及び／又は板状強磁性体と、当該板状磁石及び、／又は板状強磁性体の少なくとも周縁を被覆し、駒の振動を吸収するための緩衝部材と、を含めて構成してあり、駒に取り付けたときの、当該一方の消音部材と当該他方の消音部材とが、当該一方の消音部材の板状磁石と当該他方の消音部材の板状磁石及び／又は板状強磁性体との間に働く吸着力によって駒に取り付けて消音可能な消音器。
【請求項２】
前記一方の消音部材の緩衝部材及び前記他方の消音部材の緩衝部材が、天然又は合成ゴム、軟質プラスチックにより構成してあることを特徴とする請求項１記載の消音器１。
【請求項３】
前記他方の消音部材が、前記一方の消音部材の両側に屈曲自在とする連結部を介して設けてあり、当該一方の消音部材を駒の一方の面に接触させた状態で、当該連結部を屈曲させる事によって当該他方の駒の他方の面に接触させ得る形状に構成してあることを特徴とする請求項１又は２記載の消音器。
【発明の詳細な説明】
【技術分野】
【０００１】  この発明は、たとえば、バイオリンやチェロ等の弓で擦ることにより弦を振動させる擦弦楽器の駒に取り付け、当該弦楽器から発生する音を抑制するための消音器１に関するものである。
【背景技術】
【０００２】  消音器のひとつは駒の上から被せられるように形成された金属ブロックからなるもの（非特許文献１参照）がある。図１３，２０１に示すように、この金属ブロックは、厚手の櫛のような形状をしており、櫛の歯と歯の間に弦を受け入れつつその重量を駒に加えて駒の振動を抑制するように構成されている。また、特許文献１には、駒をクリップ可能に構成された金属製クリップ式消音器が開示されている。さらに、特許文献２には、振動抑制用のウエイトをネジによって駒に取り付ける方法が記載されている。
【非特許文献１】ｈｔｔｐ：／／ｗｗｗ．ｓａｓａｋｉｖｎ．ｃｏｍ／ｗｅｒｋｓｔａｔｔ／ｑａ／ｄｏｅｍｐｆｅｒ．ｈｔｍ
【特許文献１】実用新案第３０４５６８１
【特許文献２】特許公開２００２−１８２６４０
【発明の開示】
【発明が解決しようとする課題】
【０００３】  従来、金属製の消音器は大きくて重く、駒の上部に乗せているだけのものや、駒や楽器に対して安定して取り付けることが難しいため練習中に駒の振動で外れて楽器の表板に誤って落としてしまい楽器を傷つけることがあり、使用時に消音器の上部が駒の上に張ってある弦の上に出てしまうので、非特許文献１．その部分に弓や手をぶつけたり、駒を折ったり、倒したりしてしまうトラブルもあった。またゴム製の消音器も金属製の消音器も、弓と弦の接触するコンタクトポイント１００、が練習者に見えにくいので練習の障害にもなっていた。クリップ式消音器も取り付け取り外しの際に金属部分が楽器を傷つけるおそれがあった。
本発明は以上のような従来の消音器における課題を解決し練習時における安全性を確保し、快適に練習する事ができる消音器を提供する事を目的とする。
【課題を解決するための手段】
【０００４】この課題を解決するために請求項１記載の発明は、表板を有する楽器本体と、当該楽器本体の表板の上に起立させた弦を張るための駒と、を含めて構成してある擦弦楽器に取り付けて消音を行うための消音器１、に係るものである。駒の一方の面に接触可能な一方の消音部材と、駒の他方の面に接触可能な他方の消音部材と、を含めて構成してあり、当該一方の消音部材は、板状磁石と、当該板状磁石の少なくとも周縁（全体でもよい）を被覆し、かつ、駒の振動を吸収するための緩衝部材（たとえば、ゴム、シリコーン・ゴム、軟質プラスチック、樹脂などの柔らかいもの）と、を含めて構成してある。当該他方の消音部材は、板状磁石及び／又は板状強磁性体（板状磁石及び板状強磁性体、板状磁石又は板状強磁性体の何れか一方、以下、同じ）と、当該板状磁石及び、／又は板状強磁性体の少なくとも周縁を被覆し、駒の振動を吸収するための緩衝部材と、を含めて構成してあり、駒に取り付けたときの、当該一方の消音部材と当該他方の消音部材とが、当該一方の消音部材の板状磁石と当該他方の消音部材の板状磁石及び／又は板状強磁性体との間に働く吸着力によって駒に取り付けて消音可能に構成してある。【０００５】  請求項１記載の発明に係る消音器１によれば、これを擦弦楽器の駒に取り付けることによって駒の振動を抑制して弾いたときの弦の振動を楽器本体に伝わらせづらくする。この結果、楽器全体から出る音が抑制（消音）される。すなわち、一方の消音部材と他方の消音部材とは、それぞれ駒の両面に取り付けられる。消音部材同士の取り付けは、板状磁石及び／又は板状強磁性体同士の吸着力の作用によって行われる。吸着力の作用による取り付けなので、取り外しも簡単にできる。金属ブロックやウエイトのように重量を加えることによって振動を抑制するのではなく、緩衝部材に吸収させる音によって振動を抑制するように構成してあるので、消音器自体を重くする必要がない。したがって、消音器を取り付けても楽器そのものを重くしないので、重量的に演奏の妨げにならない。さらに、緩衝部材には板状磁石／板状強磁性体の少なくとも周縁を被覆してあるので、仮に消音器を落下させたとしても楽器本体や床面を傷つける恐れがない。これらに加え、擦弦楽器消音器は、これを駒に、すなわち、張ってある弦の下に取り付けるようになっている。したがって、擦弦楽器消音器が弦の上に出っ張ることもなく、演奏の邪魔にならず、弓や腕をぶつけることもなくなり、ぶつけたとしたら生じたであろう駒の破損を未然に防ぐことができる。【０００６】  請求項２記載の発明の発明は、請求項１記載の発明の基本構成を備えた上で、前記一方の消音部材の緩衝部材及び前記他方の消音部材の緩衝部材が、天然又は合成ゴム、軟質プラスチックにより構成してあることを特徴とする。【０００７】  請求項１記載の発明に係る消音器１、によれば、請求項１記載の発明の作用効果に加え、緩衝部材を上記部材によって構成すれば、入手も簡単であり安価に製造することができる。【０００８】  請求項３記載の発明の発明は、請求項１又は２記載の発明の基本構成を備えた上で、前記他方の消音部材が、前記一方の消音部材の両側に屈曲自在とする連結部を介して設けてあり、当該���方の消音部材を駒の一方の面に接触させた状態で、当該連結部を屈曲させる事によって当該他方の駒の他方の面に接触させ得る形状に構成してあることを特徴とする。【０００９】  請求項３記載の発明に係る擦弦楽器消音器によれば、請求項１又は２記載の発明の作用効果に加え、連結部を有することによって一方の緩衝部材と他方の緩衝部材を一体化することができる。すなわち、一方だけを紛失する等の不都合を解消することができる。さらに、連結部の屈曲作用により、一体化させた一方の緩衝部材と他方の緩衝部材を離さずに駒に取り付けることができる。
（消音器の使用例）【００１０】  図７、図８、図９、本発明を擦弦楽器に取り付ける使用例であるが、以下図１０を参照しながら、本発明消音器の使用例について説明する。図１０において符号１０１は、擦弦楽器の代表例であるバイオリンを示している。バイオリン１０１は、表板１０３を有する楽器本体１０５と、楽器本体１０５の表板１０３の上に起立させた弦１０７を張るための駒１０９と、を含めて構成されている。本発明に係る消音器１は、バイオリン１０１の駒１０９に取り付けて消音するための器具である。具体的には、バイオリン１０１を弾いたとき、具体的には、弓１１１によって弦１０７を擦ったときの弦振動を楽器本体１０５に伝わるのを抑制するためのものである。なお、以下の説明は、消音器をバイオリンに取り付けることを前提として行うが、バイオリン以外の擦弦楽器、たとえば、ビオラ、チェロ、コントラバス等にも取り付けて使用可能であることはいうまでもない。
【発明を実施するための最良の形態】
【００１１】（消音器の構造）
図３、図４、を参照しながら、消音器１の構造について説明する。消音器１は、バイオリン等の駒の一方の面に接触可能な一方の消音部材１１，１１と、駒の他方の面に接触可能な他方の消音部材２１，２１と、を含めて構成してある。消音部材１１，１１は、それぞれ板状磁石１１と、板状磁石１１の全体を被覆する緩衝部材１３と、を含めて構成してある。他方、消音部材２１，２１は、それぞれ板状磁石２１と、板状磁石２１の全体を被覆するゴム製の緩衝部材２３と、を含めて構成してある。各緩衝部材１３は、板状磁石１１と略相似形の板状に形成してあり、本実施形態では天然又は合成ゴムにより構成してあるが、振動を吸収しうる部材であれば軟質プラスチックその他の樹脂等によって構成することもできる。また、図示は省略するが、緩衝部材１３，２３は、板状磁石１１，２１の全体を被覆するものであるが、少なくとも周縁を被覆するものであれば足りる。周縁を被覆しておけば、消音器１（板状磁石１１，２１）が、たとえば、楽器の上に落下させたとしても、緩衝部材１３，２３がクッションとなってその楽器を傷つけないで済むからである。なお、板状磁石１１又は板状磁石２１は、何れか一方を板状の強磁性体によって構成することもできる。一方の板状磁石の吸着力により他方の板状強磁性体を吸着可能であれば、本発明の目的を達成できるからである。なお、緩衝部材１３，２３は、たとえば、ゴム、シリコーン・ゴム、軟質プラスチック、樹脂などの振動を吸収しうる部材によって構成することができる。【００１２】  図３において、向かって左から消音部材１１と消音部材２１との間、消音部材２１と隣接する消音部材２１との間、さらに、消音部材２１と消音部材１１との間には、それぞれ連結部５ａ，５ｂ，５ｃにより連結してある。連結部５ａ，５ｂ，５ｃは、それぞれ緩衝部材１３，２３と同じ素材で一体に構成してあり、消音部材１１と消音部材２１との間、消音部材２１と消音部材２１との間、さらに、消音部材２１と消音部材１１との間を、それぞれ屈曲可能に構成してある。屈曲可能とすることによって、図１１に示すように、駒１０９の一方の面に消音部材２１、２１を接触させた後、連結部５ａ，５ｃを屈曲させて消音部材１１，１１を駒１０９の他方の面側に折り返して接触させられるように構成してある。このようにして取り付けた消音器１は、板状部材１１，２１と板状部材２１，１１とがその吸着力によって駒１０９を挟んで互いに引き付けられ、この結果、消音器１が駒に取り付けられるようになっている。【００１３】  緩衝部材１３，２３には，少なくとも二つの機能がある。第１の機能は、バイオリン（楽器）１０１の本体を傷から守る機能であり、第２の機能は、取り付け先である駒１０９の振動を吸収して楽器本体１０５（表板１０３）に、その振動の伝達を抑制する機能である。すなわち、たとえば、消音部材１についていえば、消音部材１は板状磁石１１を有しているが、板状磁石１１がむき出し状態にあるとするならバイオリン１０１等に衝突させたときにそのバイオリン１０１等を傷つけてしまう恐れがあるが、板状磁石１１を緩衝部材１３によって被覆しておけばその緩衝効果によってバイオリン１０１等が傷つくことを有効に防止する��とができる。これが、上記した第１の機能である。また、駒１０９の振動を緩衝部材１３，２３が吸収すれば、バイオリン１０１の本体に振動が伝わりづらくなる、すなわち、消音される。これが、上記した第２の機能である。【００１４】  以上、説明した消音器１によれば、これを擦弦楽器の駒１０９に取り付けることによって駒１０９の振動を抑制して弾いたときの弦の振動を楽器本体１０５に伝わらせづらくする。この結果、バイオリン１０１全体から出る音が抑制（消音）される。すなわち、一方の消音部材１と他方の消音部材１とは、それぞれ駒１０９の両面に取り付けられる。消音部材１１，２１同士の取り付けは、板状磁石１１，２１，２１，１１同士の吸着力の作用によって行われる。吸着力の作用による取り付けなので、取り外しも簡単にできる。金属ブロックやウエイトのように重量を加えることによって振動を抑制するのではなく、緩衝部材１３，１３，２３，２３に吸収させる音によって振動を抑制するように構成してあるので、消音器１自体を過度に重くする必要がない。したがって、消音器１を取り付けても楽器そのものを重くしないので、重量的に演奏の妨げにならない。さらに、緩衝部材１３，１３，２３，２３には板状磁石１１，２１，２１、１１を被覆してあるので、落下させた消音器１が楽器本体や床面を傷つける恐れがない。これらに加え、消音器１は、これを駒１０９の、すなわち、張ってある弦の下に取り付けるようになっている。したがって、消音器１が弦の上に出っ張ることもないから、演奏の邪魔にならず、弓や手をぶつけることもなくなり、ぶつけたとしたら生じたであろう駒１０９の破損を未然に防ぐことができる。【００１５】以上、実施の一形態を示したが、本発明に係わる消音器はこれに限るものではない。
（本実施形態の変形例１）
例えば、１１，２１、に用いるネオジム磁石の代わりに、フェライト磁石、着磁金属である鉄、などを用いる事も可能である。
本実施形態では、図３に示す状態において４個ある消音部材のうち、両脇にある消音部材が一方の消音部材であり、一方の消音部材に挟まれた中２個の消音部材が他方の消音部材としてあるが、これを、たとえば、４個のうち１１，１１、を強力なネオジム磁石を使い消音部材とし２１，２１をフェライト磁石あるいは着磁金属とすることもできる。
（本実施形態の変形例２）【００１６】変形例２、では、図５に示す消音部材は、管状の緩衝部材ゴム、シリコーン・ゴム、軟質プラスチック、樹脂チューブなどからなるものにより構成され、その環状の消音部材の中にたとえば４個の板状磁石を挿入し連結部６ａ、６ｂ、６ｃ、と開口部６ｄ、６ｅを持ち１１，２１、の２１，１１、それぞれの磁石よりの間隔をもたせ屈曲可能に構成することも可能である。
【発明の効果】
【００１７】（イ）弦楽器の練習をするということは家人のみならず近所の耳を気にしながら練習しなければなにかと迷惑がられ肩身の狭い思いをするのが通例である、しかし消音器に期待するものは音さえ小さければ良いというものでもなく、良い音で安心して練習できる消音器が待たれていた。
（ロ）本発明は磁石により駒に吸着させるので、練習中に落下する心配もなく、楽器の表板のニスの部分に触れるようなことがあっても消音器全体が緩衝部材で覆われているので楽器を傷つける危険は大幅に減った。
（ハ）演奏者は目の前の大きな消音器から開放され図１０、コンタクトポイント１００、を見ることが容易になり練習しやすくなった。
（二）折りたたむとコンパクトになり楽器ケースに入れての持ち運びに便利になった図１２。
（ホ）金属とゴムの両方の長所を併せ持つので消音効果と共に音質も格段に良くなり練習が楽しくなった。
（ト）本発明を装着する際にその装着位置を駒の上中下と移動させると、上部では消音効果が大きく、下部ではやや小さく、図８で示すように片方だけを吸着することで消音効果の調整をすることも可能である。
【図面の簡単な説明】
【００１８】
【図１】本発明の平面図である。
【図２】正面図である。
【図３】ＢＢ断面図である、
【図４】ＡＡ断面図である
【図５】磁石の緩衝材を管状のもので実施した時の断面図である。
【図６】磁石の緩衝材を管状のもので実施した時の断面図である。
【図７】本発明を駒に取り付ける一方法である。
【図８】本発明を駒々取り付ける一方法である。
【図９】本発明を駒に取り付ける一方法である。
【図１０】本発明の使用時の演奏者からの視界である。
【図１１】本発明の駒からの取りはずす一方法である。
【図１２】本発明の折りたたんだ状態である。
【図１３】は金属製消音器２０１の使用図である。
【図１４】２０２、［特許文献１］実用新案第３０４５６８１
【符号の説明】
【００１９】１、消音器
２、消音部材
５、軟質材カバー
５ａ，５ｂ，５ｃ，連結部
６ａ，６ｂ，６ｃ，変形例２、チューブ緩衝部材連結部
６ｄ，６ｅ，変形例２、開口部
１１，２１、板状磁石
１３，２３、緩衝部材
１００、コンタクトポイント
１０１、バイオリン
１０３、表板
１０５、楽器本体
１０７、弦
１０９、駒
１１１、弓
２０１、金属製消音器［非特許文献１］
２０２、クリップ式消音器［特許文献１］実用新案第３０４５６８１
【図１】
2007178965.tif 000003
【図２】
2007178965.tif 000004
【図３】
2007178965.tif 000005
【図４】
2007178965.tif 000006
【図５】
2007178965.tif 000007
【図６】
2007178965.tif 000008
【図７】
2007178965.tif 000009
【図８】
2007178965.tif 000010
【図９】
2007178965.tif 000011
【図１０】
2007178965.tif 000012
【図１１】
2007178965.tif 000013
【図１２】
2007178965.tif 000014
【図１３】
2007178965.tif 000015
【図１４】
2007178965.tif 000016